(57)【要約】【課題】ボンネットをフロアステップに対して上方から取り付けると、位置合わせが困難で取付けに手間がかかっていた。【解決手段】フロアステップ２６に前方が開放される切欠き部を形成すると共に、該切欠き部３０の左右の縁３０ａに沿って左右に平行な案内溝３１（案内部）を形成し、ボンネット１６を走行機体５の前方から案内溝３１に沿ってスライド移動させて取付ける。案内溝３１の少なくとも後部分は正面視∪字状に形成される溝３５からなり、該溝３５にボンネット１６が嵌合する。【選択図】図３
2014108081.tif 000002
【特許請求の範囲】
【請求項１】
走行機体の前方に載置されるエンジンと、該エンジンを覆うボンネットと、前記走行機体上を作業者が歩行するフロアステップと、を備えた乗用型田植機において、
前記フロアステップは、前方が開放されて、前記エンジンが収納される切欠き部を有し、
該切欠き部の左右の縁に沿って、前記ボンネットを案内する左右平行な案内部を形成してなる、
ことを特徴とする乗用型田植機。
【請求項２】
前記案内部の少なくとも後部分は、正面視∪字状に形成される溝からなり、
前記ボンネットが、前記走行機体前方から前記溝に嵌合されてなる、
前記請求項１記載の乗用型田植機。
【請求項３】
前記走行機体の前部に、左右のアームを有する畦越えハンドルを取付け、
該畦越えハンドルは、前記左右のアームの内側を前記ボンネットが通過可能に構成されてなる、
前記請求項１又は２記載の乗用型田植機。
【発明の詳細な説明】
【技術分野】
【０００１】
本発明は、走行しつつ植付作業等を行なう乗用型田植機に係り、詳しくは、そのボンネットの取付け構造に関する。
【背景技術】
【０００２】
一般に、田植機等の農業機械においては、走行機体の前部にエンジンを配置し、該エンジンやラジエータ等の補機をボンネットで保護している。該ボンネットは、作業者の作業床面を構成するフロアステップに取付け支持される。
【０００３】
従来、フロアステップにエンジン等を収納する略円形の開口を形成し、該開口の縁にスリット状の係合孔を複数形成した乗用田植機が提案されている（特許文献１参照）。また、フロアステップの開口（大径穴）の外周部位にボンネットの下端縁が嵌まる取付溝が形成された乗用型田植機が提案されている（特許文献２参照）。
【先行技術文献】
【特許文献】
【０００４】
【特許文献１】特開２００４−１４７５５６号公報
【特許文献２】特開２００６−２５４７２７号公報
【発明の概要】
【発明が解決しようとする課題】
【０００５】
しかしながら、上記特許文献１及び２記載のものは、フロアステップに対し上方からボンネットを係合穴又は取付溝に嵌めこむものであって、ボンネットの取付けの際に、これらフロアステップに形成された係合穴又は取付溝に位置合わせしつつスムーズに取付けるのは困難であった。
【０００６】
そこで、本発明は、フロアステップに左右平行な案内部を設け、該案内部に沿ってスライドさせてボンネットを取付けて、もって上述した課題を解決した乗用型田植機を提供することを目的とする。
【課題を解決するための手段】
【０００７】
本発明は、走行機体（５）の前方に載置されるエンジン（２９）と、該エンジン（２９）を覆うボンネット（１６）と、前記走行機体（５）上を作業者が歩行するフロアステップ（２６）と、を備えた乗用型田植機（１）において、
前記フロアステップ（２６）は、前方が開放されて、前記エンジン（２９）が収納される切欠き部（３０）を有し、
該切欠き部（３０）の左右の縁（３０ａ）に沿って、前記ボンネット（１６）を案内する左右平行な案内部（３１）を形成してなる、
ことを特徴とする。
【０００８】
例えば図５を参照して、前記案内部（３１）の少なくとも後部分は、正面視∪字状に形成される溝（３５）からなり、
前記ボンネット（１６）が、前記走行機体（５）前方から前記溝（３５）に嵌合されてなる。
【０００９】
例えば図７及び図８を参照して、前記走行機体（５）の前部に、左右のアーム（３７Ｌ，３７Ｒ）を有する畦越えハンドル（３７）を取付け、
該畦越えハンドル（３７）は、前記左右のアーム（３７Ｌ，３７Ｒ）の内側を前記ボンネット（１６）が通過可能に構成されてなる。
【００１０】
なお、上述カッコ内の符号は、図面と対照するためのものであるが、何ら本発明の構成を限定するものではない。
【発明の効果】
【００１１】
請求項１に係る本発明は、フロアステップの切欠き部の左右の縁に沿って左右平行な案内部を形成したので、ボンネットをフロアステップに取付け・取外しする際に、該ボンネットが案内部に前後方向にスライド案内されて、スムーズかつ正確に取付け・取外しできる。
【００１２】
請求項２に係る本発明は、案内部の少なくとも後部分が、∪字状に形成される溝からなり、前記ボンネットが走行機体前方から前記溝に嵌合されるので、案内部の前方から該案内部に沿ってボンネットをスライドさせることで、ボンネットが前記溝に嵌合して簡単かつ正確にボンネットの取付けができる。
【００１３】
請求項３に係る本発明は、畦越ハンドルの左右のアームの内側をボンネットが通過可能なので、走行機体前方からボンネットを取付け・取外しする際に、畦越ハンドルを回動操作及び取外し作業することなく、簡単にボンネットの取付け・取外し作業を行うことができる。
【図面の簡単な説明】
【００１４】
【図１】本実施の形態を適用した乗用型田植機を示す全体側面図。
【図２】そのボンネット及びフロアステップを示す斜視図。
【図３】ボンネットを取り外した状態のボンネット内部及びフロアステップを示す図であって、（ａ）はその全体斜視図、（ｂ）はその一部拡大図。
【図４】ボンネット及びフロアステップを示す図であって、（ａ）はボンネットの側面図、（ｂ）はその一部拡大図、（ｃ）はフロアステップの平面図、（ｄ）はその一部拡大図。
【図５】ボンネットのフロアステップへの取付けを示す図であって、（ａ）はその側面図、（ｂ）はそのＡ−Ａ断面図、（ｃ）はその一部拡大図。
【図６】ボンネットのリアカバーへの取付けを示す図であって、（ａ）はその側面図、（ｂ）はそのＢ−Ｂ断面図、（ｃ）はその一部拡大図。
【図７】ボンネットの取付けを示す側面図。
【図８】その平面図。
【発明を実施するための形態】
【００１５】
以下、図面に沿って、本発明の実施の形態について説明する。乗用型田植機１は、図１に示すように、それぞれ左右一対の前輪２及び後輪３に支持された走行機体５と、該走行機体５の後方に、油圧シリンダ６及びリンク機構７を介して昇降自在に連結された植付作業機９と、を有している。
【００１６】
上記植付作業機９は、上記走行機体５の進行方向である前後方向の軸回りに回動自在（ローリング自在）に上記リンク機構７に支持されたフレーム部１０を有し、不図示の水平制御モータ及び傾斜センサによって、左右傾斜がある圃場においても、水平姿勢を保持することが可能となっている。
【００１７】
上記フレーム部１０は、前高後低状の傾斜姿勢で左右往復動可能に苗載台１１を支持しており、該苗載台１１には、その載置面１１ａに載置されるマット苗を下方搬送する縦送り機構１２が設置されている。上記フレーム部１０の後方には、植付部１３が一体的に延設されており、該植付部１３の移植杆１５が回転することで、上記載置面１１ａに載置されて下端に搬送されたマット苗から一株分の苗を掻き取って、圃場に連続的に移植できるようになっている。
【００１８】
上記走行機体５は、前部にエンジン等が収納されるボンネット１６が配置され、後部に作業者が上記乗用型田植機１を運転操作する運転操作部１７が配置されている。該運転操作部１７は、作業者が着座する運転座席１９と、上記走行機体５の旋回操作を行なうステアリングハンドル２０と、前進後進の切替等を行なう主変速レバー２１と、等を備えており、作業者が上記運転座席１９に着座した時の足元正面部分は、リアパネル２２で覆われている。
【００１９】
上記ボンネット１６の左右側方には、図２に示すように、フロントステップ２３が配置されており、該フロントステップ２３の後方には、上記運転座席１９の床面を構成するメインステップ２５が配置され、上記フロントステップ２３及びメインステップ２５が一体に連続して形成されて、走行機体５上を作業者が歩行するフロアステップ２６が構成される。
【００２０】
上記ボンネット１６は、エンジンルームを覆い前方に向かって窄まって形成される本体部１６ａと、該本体部１６ａの側方下端において横方向に広がる裾部１６ｂと、を有する。上記本体部１６ａは、その前端に田植えを真っ直ぐに行なうのを容易にするセンターマスコット２７を貫通する貫通穴２８が形成されており、その上端には、後述する操作パネル３８にノブボルト２４（図１参照）で共締め固定するための切欠き１６ｃを備えている。上記裾部１６ｂは、上記フロントステップ２３の一部を形成し、上記本体部１６ａが前方に向かって窄まって形成されるのと相俟って、該フロントステップ２３の面積を広くとることができ、作業者の前方からの乗降性を向上することが出来る。
【００２１】
上記ボンネット１６の内部には、図３に示すように、エンジン２９と、該エンジン２９の動力を変速して上記前輪２，後輪３や上記植付作業機９に分配するミッションケースと、等が配置されている。上記エンジン２９の後ろ上方には、上記リアパネル２２の上方前部に亘って燃料タンク３４が配置されており、該燃料タンク３４の後方には操作パネル３８が配置されている。
【００２２】
上記フロアステップ２６は、図３及び図４に示すように、前方が開放されて、上記エンジン２９が収納される切欠き部３０を有しており、該切欠き部３０の左右の縁３０ａに沿って、左右平行な案内溝（案内部）３１が形成されている。上記フロアステップ２６の前端面２６ａにあって左右の上記案内溝３１の下方部分には、孔３２が形成されており、上記ボンネット１６の上記裾部１６ｂの後端面には、上記孔３２に嵌合する突出部３３が一体形成されている。
【００２３】
上記案内溝３１の後部分は、図３ないし図５に示すように、上記切欠き部３０の縁３０ａから上方に突出した立ち上がり面３０ｂによって、正面視∪字状に形成される∪字溝（溝）３５からなる。該∪字溝３５には、上記裾部１６ｂの左右の下面に平行に形成されたレール部１６ｄが、上記走行機体５の前方から嵌合されるように構成されている。なお、好ましくは、上記∪字溝３５は、前方から後方に向かって、だんだんと幅狭になるように構成されて、該∪字溝３５の後端部分で上記レール部１６ｄが係止されてなる。これにより、ボンネット１６を高い保持力でフロアステップ２６に取付けることができ、例えばアイドリング時にビビリ音が発生することを抑制することができる。
【００２４】
上記ボンネット１６の後端面中央付近には、図６に示すように、爪３６が一体に形成されており、該爪３６は、後方が開放される凹部３６ａと、案内面３６ｂと、を有する。上記ボンネット１６が上記走行機体５の前方から上記フロアステップ２６に取付けられると、上記案内面３６ｂが上記リアパネル２２の前端部２２ａに当接し、上記凹部３６ａに該前端部２２ａを受け入れるようになっている。
【００２５】
上記走行機体５の前部には、図７及び図８に示すように、畦越えの際の走行機体５の浮き上がり防止等を行なう畦越えハンドル３７が取付けられており、該畦越えハンドル３７は、左右対称に形成された左右のアーム３７Ｌ，３７Ｒを有している。上記左右のアーム３７Ｌ，３７Ｒは、略コ字状に形成されており、これら左右のアーム３７Ｌ，３７Ｒの内側に形成された空間Ｓは、上記ボンネット１６の高さ寸法及び左右幅寸法よりも大きく設定されて、上記左右のアーム３７Ｌ，３７Ｒの内側を上記ボンネット１６が通過可能に構成されている。
【００２６】
本実施の形態は、以上のような構成からなるので、作業者は、乗用型田植機１のボンネット１６を、走行機体５前方から後方に向かってスライド移動させて取付ける。その際、作業者は、まず走行機体５の前端に配設された畦越えハンドル３７の左右のアーム３７Ｌ，３７Ｒの内方を通過するようにボンネット１６をスライド移動させ、畦越えハンドル３７を回動操作及び取外しすることなく、ボンネット１６の取付け作業を簡単に行なうことができる。そして、該ボンネット１６のレール部１６ｄの後端部分を、上記フロアステップ２６に形成された案内溝３１の前端部分に位置合わせする。
【００２７】
作業者は、該レール部１６ｄを案内溝３１に沿わせたまま後方にスライド移動して、上記案内溝３１の後方部分の∪字溝３５に上記レール部１６ｄを嵌合して係止する。その際、上記ボンネット１６の裾部１６ｂに形成された突出部３３は、上記フロアステップ２６の孔３２に嵌合され、また、爪３６は、リアパネル２２の前端部２２ａを、案内面３６ｂで案内して凹部３６ａに受け入れる。
【００２８】
左右に平行な案内溝３１を形成したことで、ボンネット１６の取付け時に案内溝３１からはみ出すことなくスムーズにボンネット１６を取付けることができ、かつボンネット１６を案内溝３１に沿って後方案内することで、上記突出部３３及び爪３６を、上記孔３２及びリアパネル２２の前端部２２ａにそれぞれ簡単かつ正確に嵌合することができる。
【００２９】
そして、ボンネット１６の上端に形成された切欠き１６ｃにノブボルト２４を締め付けることで、操作パネル３８とボンネット１６を共締め固定し、ボンネット１６の取付けが完了する。
【００３０】
ボンネット１６を取外しする際には、上述したボンネット１６の取付け工程を逆順で行なうことで、ボンネット１６をスムーズに取り外しすることができ、ボンネット１６の取付け・取外しを簡単に行うことができるので、エンジンルームのメンテナンスを容易に行うことができる。
【００３１】
なお、上記実施形態では、乗用型の田植機を例にして説明したが、他の農作業機に適用しても良い。
【符号の説明】
【００３２】
１    乗用型田植機
５    走行機体
１６    ボンネット
２６    フロアステップ
２９    エンジン
３０    切欠き部
３０ａ    縁
３１    案内部（案内溝）
３５    溝（∪字溝）
３７    畦越えハンドル
３７Ｌ，３７Ｒ    左右のアーム
【図１】
2014108081.tif 000003
【図２】
2014108081.tif 000004
【図３】
2014108081.tif 000005
【図４】
2014108081.tif 000006
【図５】
2014108081.tif 000007
【図６】
2014108081.tif 000008
【図７】
2014108081.tif 000009
【図８】
2014108081.tif 000010